(57)【特許請求の範囲】
【請求項１】
デジタル方式のテレビジョン放送を受信し、外部から視認可能にモニタに出力可能に構成されたデジタル放送受信装置であって、
予め設定された周波数帯域のテレビジョン放送を受信する受信手段と、
番組毎に視聴制限情報を含む番組情報を格納する番組情報記憶手段と、
予め設定された所定時間毎に、前記受信手段を介して番組毎に視聴制限情報を含む番組情報を取得し、前記番組情報記憶手段に記録する番組情報取得手段と、
前記番組情報取得手段によって番組情報が前記番組情報記憶手段に記録される度に、前記番組情報記憶手段に格納された番組情報の個数を求める個数算出手段と、
前記個数算出手段によって求められた番組情報の個数が予め設定された所定の閾値個数以上であるか否かを判定する個数判定手段と、
前記個数判定手段によって閾値個数以上であると判定された場合に、前記番組情報記憶手段に格納された番組情報の中から消去する対象の番組情報である消去対象番組情報を、予め設定されたルールに則って選定する番組選定手段と、
前記番組選定手段によって選定された消去対象番組情報を前記番組情報記憶手段から消去する消去実行手段と、
を備え、
前記番組選定手段は、前記受信手段によって受信されているテレビジョン放送、又は前記受信手段によって受信されている周波数帯域に対応する番組情報を除く番組情報を、前記消去対象番組情報として選定することを特徴とするデジタル放送受信装置。
【請求項２】
デジタル方式のテレビジョン放送を受信し、外部から視認可能にモニタに出力可能に構成されたデジタル放送受信装置であって、
予め設定された周波数帯域のテレビジョン放送を受信する受信手段と、
番組毎に視聴制限情報を含む番組情報を格納する番組情報記憶手段と、
予め設定された所定時間毎に、前記受信手段を介して番組毎に視聴制限情報を含む番組情報を取得し、前記番組情報記憶手段に記録する番組情報取得手段と、
前記番組情報取得手段によって番組情報が前記番組情報記憶手段に記録される度に、前記番組情報記憶手段に格納された番組情報の容量を求める容量算出手段と、
前記容量算出手段によって求められた番組情報の容量が予め設定された所定の閾値容量以上であるか否かを判定する容量判定手段と、
前記容量判定手段によって閾値容量以上であると判定された場合に、前記番組情報記憶手段に格納された番組情報の中から消去する対象の番組情報である消去対象番組情報を、予め設定されたルールに則って選定する番組選定手段と、
前記番組選定手段によって選定された消去対象番組情報を前記番組情報記憶手段から消去する消去実行手段と、
を備え、
前記番組選定手段は、前記受信手段によって受信されているテレビジョン放送、又は前記受信手段によって受信されている周波数帯域に対応する番組情報を除く番組情報を、前記消去対象番組情報として選定することを特徴とするデジタル放送受信装置。
【請求項３】
前記番組情報記憶手段に格納された番組情報に含まれる視聴制限情報に基づいて、視聴制限を実行する視聴制限実行手段を備えることを特徴とする請求項１又は請求項２に記載のデジタル放送受信装置。
【請求項４】
前記消去実行手段は、前記消去対象番組情報に含まれる視聴制限情報及びＥＰＧ画面を表示するために必要な情報を除く情報のみを前記番組情報記憶手段から消去することを特徴とする請求項１〜請求項３のいずれかに記載のデジタル放送受信装置。
【発明の詳細な説明】
【技術分野】
【０００１】
本発明は、デジタル方式のテレビジョン放送を受信し、外部から視認可能にモニタに出力可能に構成されたデジタル放送受信装置に関する。特に、予め設定された視聴制限条件が規定されたテーブルである視聴制限テーブルに基づいて、視聴制限を実行可能に構成されたデジタル放送受信装置に関する。
【背景技術】
【０００２】
従来、テレビジョン放送を受信し、外部から視認可能にモニタに出力可能に構成されたデジタル放送受信装置では、デジタル放送の普及に伴って、視聴可能なチャンネル数が飛躍的に増加し、暴力シーン、猥褻なシーン等を含む番組が増加しており、このような番組を子供等に見せないように、子供等が視聴できる番組を制限する要求が高まっている。
【０００３】
この要求に応えるために、種々の装置、方法等が提案されている。例えば、ユーザによってＥＰＧ（Ｅｌｅｃｔｒｏｎｉｃ  Ｐｒｏｇｒａｍ  Ｇｕｉｄｅ）画面を介して選択された番組の番組情報にレイティング情報（＝視聴制限情報）が含まれているときに、警告音を鳴らすデジタル放送受信装置が開示されている（特許文献１参照）。
【特許文献１】特開２００３−２１９３００号公報
【発明の開示】
【発明が解決しようとする課題】
【０００４】
しかしながら、上記デジタル放送受信装置では、番組毎にレイティング情報を含む番組情報が取得されてメモリに格納されているが、新たな番組情報が取得されて前記メモリに格納できない状態となった場合には、メモリに格納された番組情報が消去されるため、ユーザが所望する視聴制限が機能しない虞がある。
【０００５】
すなわち、視聴制限はメモリに格納された番組情報に基づいて行われるため、番組情報が消去された場合には、対応する番組の視聴制限を実行することができない状態となる虞があるのである。また、新たな番組情報が取得されて前記メモリに格納できない状態となった場合に、例えば、メモリに格納された全ての番組情報を消去する場合には、ＥＰＧ画面を表示するために、新たにＥＰＧ情報を取得する必要があるので、ＥＰＧ画面を表示するために要する待ち時間が発生する虞がある。
【０００６】
本発明は、上記課題に鑑みてなされたものであって、番組情報の消去を適正に実行することの可能なデジタル放送受信装置を提供することを目的としている。
【課題を解決するための手段】
【０００７】
上記目的を達成するために本発明のデジタル放送受信装置は、デジタル方式のテレビジョン放送を受信し、外部から視認可能にモニタに出力可能に構成されたデジタル放送受信装置であって、予め設定された周波数帯域のテレビジョン放送を受信する受信手段と、番組毎に視聴制限情報を含む番組情報を格納する番組情報記憶手段と、予め設定された所定時間毎に、前記受信手段を介して番組毎に視聴制限情報を含む番組情報を取得し、前記番組情報記憶手段に記録する番組情報取得手段と、前記番組情報取得手段によって番組情報が前記番組情報記憶手段に記録される度に、前記番組情報記憶手段に格納された番組情報の個数を求める個数算出手段と、前記個数算出手段によって求められた番組情報の個数が予め設定された所定の閾値個数以上であるか否かを判定する個数判定手段と、前記個数判定手段によって閾値個数以上であると判定された場合に、前記番組情報記憶手段に格納された番組情報の中から消去する対象の番組情報である消去対象番組情報を、予め設定されたルールに則って選定する番組選定手段と、前記番組選定手段によって選定された消去対象番組情報を前記番組情報記憶手段から消去する消去実行手段と、を備えることを特徴としている。
【０００８】
また、上記目的を達成するために本発明のデジタル放送受信装置は、デジタル方式のテレビジョン放送を受信し、外部から視認可能にモニタに出力可能に構成されたデジタル放送受信装置であって、予め設定された周波数帯域のテレビジョン放送を受信する受信手段と、番組毎に視聴制限情報を含む番組情報を格納する番組情報記憶手段と、予め設定された所定時間毎に、前記受信手段を介して番組毎に視聴制限情報を含む番組情報を取得し、前記番組情報記憶手段に記録する番組情報取得手段と、前記番組情報取得手段によって番組情報が前記番組情報記憶手段に記録される度に、前記番組情報記憶手段に格納された番組情報の容量を求める容量算出手段と、前記容量算出手段によって求められた番組情報の容量が予め設定された所定の閾値容量以上であるか否かを判定する容量判定手段と、前記容量判定手段によって閾値容量以上であると判定された場合に、前記番組情報記憶手段に格納された番組情報の中から消去する対象の番組情報である消去対象番組情報を、予め設定されたルールに則って選定する番組選定手段と、前記番組選定手段によって選定された消去対象番組情報を前記番組情報記憶手段から消去する消去実行手段と、を備えることを特徴としている。
【０００９】
上記構成において、前記番組情報記憶手段に格納された番組情報に含まれる視聴制限情報に基づいて、視聴制限を実行する視聴制限実行手段を備え、前記番組選定手段が、前記受信手段によって受信されているテレビジョン放送に対応する番組情報を除く番組情報を、前記消去対象番組情報として選定してもよい。
【００１０】
或いは、上記構成において、前記番組情報記憶手段に格納された番組情報に含まれる視聴制限情報に基づいて、視聴制限を実行する視聴制限実行手段を備え、前記番組選定手段が、前記受信手段によって受信されている周波数帯域に対応する番組情報を除く番組情報を、前記消去対象番組情報として選定してもよい。
【発明の効果】
【００１１】
本発明によれば、予め設定された所定時間毎に、予め設定された周波数帯域のテレビジョン放送を受信する受信手段を介して、番組毎に視聴制限情報を含む番組情報が取得され、番組情報記憶手段に記録される。また、番組情報が番組情報記憶手段に記録される度に、番組情報記憶手段に格納された番組情報の個数が求められ、求められた番組情報の個数が予め設定された所定の閾値個数以上であるか否かが判定される。そして、閾値個数以上であると判定された場合に、番組情報記憶手段に格納された番組情報の中から消去する対象の番組情報である消去対象番組情報が、予め設定されたルールに則って選定され、選定された消去対象番組情報が番組情報記憶手段から消去されるため、番組情報の消去を適正に実行することができる。
【００１２】
すなわち、番組情報記憶手段に格納された番組情報の個数が予め設定された所定の閾値個数以上であると判定された場合に、番組情報記憶手段に格納された番組情報の中から消去する対象の番組情報である消去対象番組情報が、予め設定されたルールに則って選定され、選定された消去対象番組情報が番組情報記憶手段から消去されるため、消去対象番組情報を選定するルールを適正に設定することによって、番組情報の消去を適正に実行することができるのである。
【００１３】
また、本発明によれば、予め設定された所定時間毎に、予め設定された周波数帯域のテレビジョン放送を受信する受信手段を介して、番組毎に視聴制限情報を含む番組情報が取得され、番組情報記憶手段に記録される。また、番組情報が番組情報記憶手段に記録される度に、番組情報記憶手段に格納された番組情報の容量が求められ、求められた番組情報の容量が予め設定された所定の閾値容量以上であるか否かが判定される。そして、閾値容量以上であると判定された場合に、番組情報記憶手段に格納された番組情報の中から消去する対象の番組情報である消去対象番組情報が、予め設定されたルールに則って選定され、選定された消去対象番組情報が番組情報記憶手段から消去されるため、番組情報の消去を適正に実行することができる。
【００１４】
すなわち、番組情報記憶手段に格納された番組情報の容量が予め設定された所定の閾値容量以上であると判定された場合に、番組情報記憶手段に格納された番組情報の中から消去する対象の番組情報である消去対象番組情報が、予め設定されたルールに則って選定され、選定された消去対象番組情報が番組情報記憶手段から消去されるため、消去対象番組情報を選定するルールを適正に設定することによって、番組情報の消去を適正に実行することができるのである。
【００１５】
また、本発明によれば、番組情報記憶手段に格納された番組情報に含まれる視聴制限情報に基づいて、視聴制限が実行され、受信手段によって受信されているテレビジョン放送に対応する番組情報を除く番組情報が、消去対象番組情報として選定されるため、簡素な構成で番組情報の消去を適正に実行することができる。
【００１６】
すなわち、受信手段によって受信されているテレビジョン放送に対応する番組情報を除く番組情報が、消去対象番組情報として選定されるため、受信手段によって受信されているテレビジョン放送に対応する番組情報が消去されることを確実に防止することができ、視聴中の番組の視聴制限を確実に実行することができるので、簡素な構成で番組情報の消去を適正に実行することができるのである。更に、受信手段によって受信されているテレビジョン放送に対応する番組情報を除く番組情報が、消去対象番組情報として選定されるため、多数（＝大容量）の番組情報が消去されるので、番組情報を消去する頻度を少なくすることができ、簡素な構成で番組情報の消去を適正に実行することができるのである。
【００１７】
或いは、本発明によれば、番組情報記憶手段に格納された番組情報に含まれる視聴制限情報に基づいて、視聴制限が実行され、受信手段によって受信されている周波数帯域に対応する番組情報を除く番組情報が、消去対象番組情報として選定されるため、簡素な構成で番組情報の消去を適正に実行することができる。
【００１８】
すなわち、受信手段によって受信されている周波数帯域に対応する番組情報を除く番組情報が、消去対象番組情報として選定されるため、視聴中の番組及び視聴中のチャンネル（＝周波数帯域）で今後放送される番組の視聴制限を確実に実行することができるので、簡素な構成で番組情報の消去を適正に実行することができるのである。更に、受信手段によって受信されている周波数帯域に対応する番組情報を除く番組情報が、消去対象番組情報として選定されるため、多数（＝大容量）の番組情報が消去されるので、番組情報を消去する頻度を少なくすることができ、簡素な構成で番組情報の消去を適正に実行することができるのである。
【発明を実施するための最良の形態】
【００１９】
以下に本発明の実施形態を、図面を参照しながら説明する。図２は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２０】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００２１】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２２】
操作部１４は、電源のＯＮ、ＯＦＦ操作、選局等の各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２３】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を、映像情報、音声情報、制御情報等の種別毎に分離して出力するものである。
【００２４】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２５】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２６】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する映像を表示するものである。
【００２７】
赤外線通信部１９は、リモコン２からの電源のＯＮ、ＯＦＦ操作、選局、視聴制限設定等の各種設定等の各種操作を受け付けるものである。リモコン２は、種々のキーを備え、キーの押下を介してユーザからの操作入力を受け付けて、操作入力に対応する赤外線信号を生成して、デジタル放送受信機１（＝赤外線通信部１９）に対して出力するものである。
【００２８】
次に、デジタル放送受信機１が放送を受信する場合の動作について説明する。まず、送信されてきたデジタル放送波がアンテナ部１５１で受信される。操作部１４（又は、リモコン２）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００２９】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、視聴制限テーブル情報等を含む制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３０】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ１８３に動画像が表示される。
【００３１】
図２は、本発明に係るデジタル放送受信機１における主要部の構成の一例を示すブロック図である。デジタル放送受信機１のＭＰＵ１１は、機能的に、番組情報取得部１１１、個数算出部１１２、個数判定部１１３、容量算出部１１４、容量判定部１１５、番組選定部１１６、消去実行部１１７、及び、視聴制限実行部１１８を備えている。また、ＲＡＭ１２は、機能的に、番組情報記憶部１２１を備えている。
【００３２】
ここでは、ＭＰＵ１１が、図１に示すＲＯＭ１３等に予め格納された制御プログラムを読み出して実行することにより、番組情報取得部１１１、個数算出部１１２、個数判定部１１３、容量算出部１１４、容量判定部１１５、番組選定部１１６、消去実行部１１７、視聴制限実行部１１８等の機能部として機能すると共に、ＲＡＭ１２を、番組情報記憶部１２１等の機能部として機能させるものである。
【００３３】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３４】
番組情報記憶部１２１（番組情報記憶手段に相当する）は、番組毎に視聴制限情報を含む番組情報を格納するものである。番組情報記憶部１２１に格納される番組情報は、番組情報取得部１１１によって記録され（＝書き込まれ）、消去実行部１１７によって消去されるものである。
【００３５】
ここで、番組情報記憶部１２１に格納される視聴制限情報について説明する。例えば、ＭＰＡＡ（Ｍｏｔｉｏｎ  Ｐｉｃｔｕｒｅ  Ａｓｓｏｃｉａｔｉｏｎ  ｏｆ  Ａｍｅｒｉｃａ）規格に基づく視聴制限情報は、「Ｘ」、「ＮＣ−１７」、「Ｒ」、「ＰＧ−１３」、「ＰＧ」、「Ｇ」、「ＮＲ」のいずれかの文字列で規定され、後述するように、この順に、視聴制限が緩くなることを示すものである。
【００３６】
「Ｘ」は、最も厳しい視聴制限であって、「ＮＣ−１７」の古い規格であることを示している。「ＮＣ−１７」（Ｎｏ  ｃｈｉｌｄｒｅｎ  ｕｎｄｅｒ  １７）は、１８歳未満（１７歳以下）の視聴を禁止したものであることを示している。「Ｒ」（Ｒｅｓｔｒｉｃｔｅｄ）は、１７歳未満（１６歳以下）の鑑賞は保護者同伴が要求されることを示している。
【００３７】
「ＰＧ−１３」（Ｐａｒｅｎｔｓ  ｓｔｒｏｎｇｌｙ  ｃａｕｔｉｏｎｅｄ）は、１３歳未満（１２歳以下）の子供の観賞については、保護者の厳重な注意が必要であることを示している。「ＰＧ」（Ｐａｒｅｎｔａｌ  Ｇｕｉｄａｎｃｅ  ｓｕｇｇｅｓｔｅｄ）は、子供に見せる前に保護者が内容を検討することを提案したものであることを示している。「Ｇ」（Ｇｅｎｅｒａｌ  ａｕｄｉｅｎｃｅｓ）は、全年齢に適していることを示している。「ＮＲ」（Ｎｏｔ  Ｒａｔｅｄ）は、視聴制限がないことを示している。
【００３８】
番組情報取得部１１１（番組情報取得手段に相当する）は、予め設定された所定時間（例えば、５秒）毎に、受信部１５を介して番組毎に視聴制限情報を含む番組情報を取得し、番組情報記憶部１２１に記録する（＝書き込む）ものである。ここで、視聴制限情報は、例えば、番組情報テーブル（ＥＩＴ：Ｅｖｅｎｔ  Ｉｎｆｏｒｍａｔｉｏｎ  Ｔａｂｌｅ）内に含まれる情報であって、視聴制限条件を規定するＣＡＤ（Ｃｏｎｔｅｎｔ  Ａｄｖｉｓｏｒｙ  Ｄｅｓｃｒｉｐｔｏｒ）として送信されるものである（ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）  Ｓｔａｎｄａｒｄ  Ａ／６５Ｃ  参照）。
【００３９】
個数算出部１１２（個数算出手段に相当する）は、番組情報取得部１１１によって番組情報が番組情報記憶部１２１に記録される度に、番組情報記憶部１２１に格納された番組情報の個数Ｎを求めるものである。
【００４０】
個数判定部１１３（個数判定手段に相当する）は、個数算出部１１２によって求められた番組情報の個数Ｎが予め設定された所定の閾値個数Ｎ０（例えば、１００００個）以上であるか否かを判定するものである。
【００４１】
容量算出部１１４（容量算出手段に相当する）は、番組情報取得部１１１によって番組情報が番組情報記憶部１２１に記録される度に、番組情報記憶部１２１に格納された番組情報の容量Ｐ（＝番組情報が番組情報記憶部１２１において占める容量Ｐ）を求めるものである。
【００４２】
容量判定部１１５（容量判定手段に相当する）は、容量算出部１１４によって求められた番組情報の容量Ｐが予め設定された所定の閾値容量Ｐ０（例えば、１００ＭＢ）以上であるか否かを判定するものである。
【００４３】
番組選定部１１６（番組選定手段に相当する）は、個数判定部１１３によって閾値個数Ｎ０以上であると判定された場合、又は、容量判定部１１５によって閾値容量Ｐ０以上であると判定された場合に、番組情報記憶部１２１に格納された番組情報の中から消去する対象の番組情報である消去対象番組情報を、予め設定されたルールに則って選定するものである。
【００４４】
具体的には、番組選定部１１６は、番組情報記憶部１２１に格納されている番組情報の内、受信部１５によって受信されている周波数帯域（＝物理チャンネル）に対応する番組情報を除く全ての番組情報を、消去する対象の番組情報である消去対象番組情報として選定するものである。
【００４５】
消去実行部１１７（消去実行手段に相当する）は、番組選定部１１６によって選定された消去対象番組情報を番組情報記憶部１２１から消去するものである。
【００４６】
視聴制限実行部１１８（視聴制限実行手段に相当する）は、番組情報記憶部１２１に格納された番組情報に含まれる視聴制限情報に基づいて、視聴制限を実行するものである。具体的には、予めリモコン２等を介してユーザからの設定を受け付けて、「Ｘ」、「ＮＣ−１７」、「Ｒ」、「ＰＧ−１３」、「ＰＧ」、「Ｇ」、「ＮＲ」の中から、視聴制限を行う下限レベルの視聴制限情報（例えば、「Ｒ」）を設定しておき、視聴制限実行部１１８は、設定された下限レベルの視聴制限情報以上のレベルの視聴制限情報（例えば、「Ｘ」、「ＮＣ−１７」、又は、「Ｒ」）を有する番組の視聴制限を実行する（＝映像をディスプレイ１８３に表示せず、音声をスピーカ１６３に出力しないように制御する）ものである。
【００４７】
図３は、デジタル放送受信機１（主にＭＰＵ１１）の動作の一例を示すフローチャートである。まず、番組情報取得部１１１によって、予め設定された所定時間（ここでは、５秒）が経過したか否かの判定が行われる（Ｓ１０１）。所定時間が経過していないと判定された場合（Ｓ１０１でＮＯ）には、処理が待機状態とされる。所定時間が経過したと判定された場合（Ｓ１０１でＹＥＳ）には、番組情報取得部１１１によって、受信部１５を介して番組毎に視聴制限情報を含む番組情報が取得され、番組情報記憶部１２１に記録される（Ｓ１０３）。
【００４８】
そして、個数算出部１１２によって、番組情報記憶部１２１に格納された番組情報の個数Ｎが求められる（Ｓ１０５）。次いで、容量算出部１１４によって、番組情報記憶部１２１に格納された番組情報の容量Ｐが求められる（Ｓ１０７）。次に、個数判定部１１３によって、ステップＳ１０５において求められた個数Ｎが予め設定された所定の閾値個数Ｎ０以上であるか否かの判定が行われる（Ｓ１０９）。閾値個数Ｎ０以上であると判定された場合（Ｓ１０９でＹＥＳ）には、処理がステップＳ１１３に進められる。
【００４９】
閾値個数Ｎ０未満であると判定された場合（Ｓ１０９でＮＯ）には、容量判定部１１５によって、ステップＳ１０７において求められた容量Ｐが予め設定された所定の閾値容量Ｐ０以上であるか否かの判定が行われる（Ｓ１１１）。閾値容量Ｐ０以上であると判定された場合（Ｓ１１１でＹＥＳ）には、処理がステップＳ１１３に進められる。閾値容量Ｐ０未満であると判定された場合（Ｓ１１１でＮＯ）には、処理がステップＳ１０１に戻され、ステップＳ１０１以降の処理が繰り返し実行される。
【００５０】
ステップＳ１０９でＹＥＳの場合、又は、ステップＳ１１１でＹＥＳの場合には、番組選定部１１６によって、番組情報記憶部１２１に格納されている番組情報の内、受信部１５によって受信されている周波数帯域（＝物理チャンネル）に対応する番組情報を除く全ての番組情報が、消去する対象の番組情報である消去対象番組情報として選定される（Ｓ１１３）。そして、消去実行部１１７によって、ステップＳ１１３において選定された消去対象番組情報が番組情報記憶部１２１から消去され（Ｓ１１５）、処理がステップＳ１０１に戻され、ステップＳ１０１以降の処理が繰り返し実行される。
【００５１】
このようにして、予め設定された所定時間（ここでは、５秒）毎に、予め設定された周波数帯域のテレビジョン放送を受信する受信部１５を介して、番組毎に視聴制限情報を含む番組情報が取得され、番組情報記憶部１２１に記録される。また、番組情報が番組情報記憶部１２１に記録される度に、番組情報記憶部１２１に格納された番組情報の個数Ｎが求められ、求められた番組情報の個数Ｎが予め設定された所定の閾値個数Ｎ０以上であるか否かが判定される。そして、閾値個数Ｎ０以上であると判定された場合に、番組情報記憶部１２１に格納された番組情報の中から消去する対象の番組情報である消去対象番組情報が、予め設定されたルールに則って選定され、選定された消去対象番組情報が番組情報記憶部１２１から消去されるため、番組情報の消去を適正に実行することができる。
【００５２】
すなわち、番組情報記憶部１２１に格納された番組情報の個数Ｎが予め設定された所定の閾値個数Ｎ０（ここでは、１００００個）以上であると判定された場合に、番組情報記憶部１２１に格納された番組情報の中から消去する対象の番組情報である消去対象番組情報が、予め設定されたルールに則って選定され、選定された消去対象番組情報が番組情報記憶部１２１から消去されるため、消去対象番組情報を選定するルールを適正に設定することによって、番組情報の消去を適正に実行することができるのである。
【００５３】
また、予め設定された所定時間（ここでは、５秒）毎に、予め設定された周波数帯域のテレビジョン放送を受信する受信部１５を介して、番組毎に視聴制限情報を含む番組情報が取得され、番組情報記憶部１２１に記録される。また、番組情報が番組情報記憶部１２１に記録される度に、番組情報記憶部１２１に格納された番組情報の容量Ｐが求められ、求められた番組情報の容量が予め設定された所定の閾値容量Ｐ０（ここでは、１００ＭＢ）以上であるか否かが判定される。そして、閾値容量Ｐ０以上であると判定された場合に、番組情報記憶部１２１に格納された番組情報の中から消去する対象の番組情報である消去対象番組情報が、予め設定されたルールに則って選定され、選定された消去対象番組情報が番組情報記憶部１２１から消去されるため、番組情報の消去を適正に実行することができる。
【００５４】
すなわち、番組情報記憶部１２１に格納された番組情報の容量Ｐが予め設定された所定の閾値容量Ｐ０（ここでは、１００ＭＢ）以上であると判定された場合に、番組情報記憶部１２１に格納された番組情報の中から消去する対象の番組情報である消去対象番組情報が、予め設定されたルールに則って選定され、選定された消去対象番組情報が番組情報記憶部１２１から消去されるため、消去対象番組情報を選定するルールを適正に設定することによって、番組情報の消去を適正に実行することができるのである。
【００５５】
更に、番組情報記憶部１２１に格納された番組情報に含まれる視聴制限情報に基づいて、視聴制限が実行され、受信部１５によって受信されている周波数帯域に対応する番組情報を除く全ての番組情報が、消去対象番組情報として選定されるため、簡素な構成で番組情報の消去を適正に実行することができる。
【００５６】
すなわち、番組情報記憶部１２１に格納された番組情報の内、受信部１５によって受信されている周波数帯域（＝物理チャンネル）に対応する番組情報を除く全ての番組情報が、消去対象番組情報として選定されるため、視聴中の番組及び視聴中のチャンネル（＝周波数帯域）で今後放送される番組の視聴制限を確実に実行することができるので、簡素な構成で番組情報の消去を適正に実行することができるのである。更に、番組情報記憶部１２１に格納された番組情報の内、受信部１５によって受信されている周波数帯域に対応する番組情報を除く全ての番組情報が、消去対象番組情報として選定されるため、多数（＝大容量）の番組情報が消去されるので、番組情報を消去する頻度を少なくすることができ、簡素な構成で番組情報の消去を適正に実行することができるのである。
【００５７】
なお、本発明は、以下の形態にも適用可能である。
（Ａ）本実施形態では、デジタル放送受信装置が、デジタル放送受信機１である場合について説明したが、デジタル放送受信装置が、テレビジョン放送を受信し、外部から視認可能にディスプレイ１８３に出力するであれば良い。例えば、デジタル放送受信装置が、アナログ放送及びデジタル放送を受信する形態でも良い。
【００５８】
（Ｂ）本実施形態では、ＭＰＵ１１が、番組情報取得部１１１、個数算出部１１２、個数判定部１１３、容量算出部１１４、容量判定部１１５、番組選定部１１６、消去実行部１１７、視聴制限実行部１１８等の機能部を備える場合について説明したが、番組情報取得部１１１、個数算出部１１２、個数判定部１１３、容量算出部１１４、容量判定部１１５、番組選定部１１６、消去実行部１１７、及び、視聴制限実行部１１８の内、少なくとも１の機能部が、回路等のハードウェアによって実現されている形態でも良い。
【００５９】
（Ｃ）本実施形態では、番組選定部１１６が、個数判定部１１３によって閾値個数Ｎ０以上であると判定された場合、又は、容量判定部１１５によって閾値容量Ｐ０以上であると判定された場合に、消去対象番組情報を選定する場合について説明したが、番組選定部１１６が、個数判定部１１３によって閾値個数Ｎ０以上であると判定された場合に、消去対象番組情報を選定する形態でも良いし、番組選定部１１６が、容量判定部１１５によって閾値容量Ｐ０以上であると判定された場合に、消去対象番組情報を選定する形態でも良い。これらの場合には、処理及び構成が簡略化される。
【００６０】
（Ｄ）本実施形態では、番組選定部１１６が、番組情報記憶部１２１に格納されている番組情報の内、受信部１５によって受信されている周波数帯域（＝物理チャンネル）に対応する番組情報を除く全ての番組情報を、消去する対象の番組情報である消去対象番組情報として選定する場合について説明したが、番組選定部１１６が、番組情報記憶部１２１に格納されている番組情報の内、受信部１５によって受信されているテレビジョン放送に対応する番組情報を除く全ての番組情報を、消去対象番組情報として選定する形態でも良い。
【００６１】
この場合には、受信部１５によって受信されているテレビジョン放送に対応する番組情報を除く全ての番組情報が、消去対象番組情報として選定されるため、受信部１５によって受信されているテレビジョン放送に対応する番組情報が消去されることを確実に防止することができ、視聴中の番組の視聴制限を確実に実行することができるので、簡素な構成で番組情報の消去を適正に実行することができるのである。更に、番組情報記憶部１２１に格納されている番組情報の内、受信部１５によって受信されているテレビジョン放送に対応する番組情報を除く全ての番組情報が、消去対象番組情報として選定されるため、多数（＝大容量）の番組情報が消去されるので、番組情報を消去する頻度を更に少なくすることができ、簡素な構成で番組情報の消去を適正に実行することができる。
【００６２】
（Ｅ）本実施形態では、消去実行部１１７が、番組選定部１１６によって選定された消去対象番組情報を番組情報記憶部１２１から消去する場合について説明したが、消去実行部１１７が、番組選定部１１６によって選定された消去対象番組情報に含まれる一部の情報を番組情報記憶部１２１から消去する形態でも良い。例えば、消去実行部１１７が、番組選定部１１６によって選定された消去対象番組情報に含まれる視聴制限情報及びＥＰＧ画面を表示するために必要な情報を除く情報を消去する形態でも良い。この場合には、ＥＰＧ画面を応答性良好に表示することができる。
【図面の簡単な説明】
【００６３】
【図１】は、本発明に係るデジタル放送受信機の一例を示すブロック図である。
【図２】は、本発明に係るデジタル放送受信機における主要部の構成の一例を示すブロック図である。
【図３】は、デジタル放送受信機（主にＭＰＵ）の動作の一例を示すフローチャートである。
【符号の説明】
【００６４】
１    デジタル放送受信機（デジタル放送受信装置）
１１    ＭＰＵ
１１１    番組情報取得部（番組情報取得手段）
１１２    個数算出部（個数算出手段）
１１３    個数判定部（個数判定手段）
１１４    容量算出部（容量算出手段）
１１５    容量判定部（容量判定手段）
１１６    番組選定部（番組選定手段）
１１７    消去実行部（消去実行手段）
１１８    視聴制限実行部（視聴制限実行手段）
１２    ＲＡＭ
１２１    番組情報記憶部（番組情報記憶手段）
１４    操作部
１５    受信部（受信手段）
１８    画像出力部
１８３    ディスプレイ（モニタ）
２    リモコン
【図１】
0005145863.tif 000002
【図２】
0005145863.tif 000003
【図３】
0005145863.tif 000004